(57)【要約】【課題】本考案は、組立てや取り外しが便利に行えるファン固定用ユニットを提供する。【解決手段】ファンを、複数個のスロット孔を有する設置面に固定するために用いられるファン固定用ユニットであり、本体と、制動ユニットと、弾性嵌合部と、を含む。本体は、ファンを固定するための固定部を有し、その一側にはレールが形成され、レールとは別の側には第一係合部品が形成される。第一係合部品は、設置面に設けられる複数のスロット孔の一つに挿し込むことができる。制動ユニットは、レールに摺動可能に設けられ、その制動ユニットにはさらに第二係合部品が設けられる。第二係合部品は、設置面に設けられる別のスロット孔に挿し込むことができる。弾性嵌合部は、本体と制動ユニットの間に設けられる。【選択図】図５
0003160671.tif 000002
【実用新案登録請求の範囲】
【請求項１】
少なくとも一つのファンを、複数個のスロット孔を有する設置面に固定するために用いられるファン固定用ユニットであって、
本体と、制動ユニットと、弾性嵌合部と、を含み、
前記本体は、少なくとも一つのファンを固定するための固定部を有し、その一側には少なくとも一つのレールが形成され、前記レールとは別の側には少なくとも一つの第一係合部品が形成され、前記第一係合部品は、前記設置面に設けられる複数のスロット孔の一つに挿し込むことができ、
前記制動ユニットは、前記レールに摺動可能に設けられ、その制動ユニットにはさらに、少なくとも一つの第二係合部品が設けられ、前記第二係合部品は、前記設置面に設けられる別のスロット孔に挿し込むことができ、
前記弾性嵌合部は、前記本体と前記制動ユニットの間に設けられている、ことを特徴とするファン固定用ユニット。
【請求項２】
前記固定部は、ファンを収容するための収容溝と、前記ファンの外フレームを係止するための複数個の止め具からなることを特徴とする請求項１に記載のファン固定用ユニット。
【請求項３】
前記第一係合部品は、突出部とスナップリングとをつないでなることを特徴とする請求項１に記載のファン固定用ユニット。
【請求項４】
前記弾性嵌合部は、本体から突設した少なくとも一つの挿通部と、前記挿通部に遊挿された少なくとも一つの弾性部材からなることを特徴とする請求項１に記載のファン固定用ユニット。
【請求項５】
前記制動ユニットは、外部から圧力をかけるための駆動部と、前記レールに挿入されることで制動ユニットをレールに摺動可能に装着させる少なくとも一つのレール挿入部とからなることを特徴とする請求項４に記載のファン固定用ユニット。
【請求項６】
前記駆動部は、挿通部が挿入される少なくとも一つの第一孔を有し、前記挿通部に固定される少なくとも一つの固定ユニットによって抜け止めされることを特徴とする請求項５に記載のファン固定用ユニット。
【請求項７】
前記駆動部には更に、突当てユニットが設けられていることを特徴とする請求項５に記載のファン固定用ユニット。
【請求項８】
前記第二係合部品は、突出部とスナップリングとをつないでなることを特徴とする請求項１に記載のファン固定用ユニット。
【請求項９】
前記本体には更に、ファンの通気口に対応した少なくとも一つの通気口が設けられていることを特徴とする請求項１に記載のファン固定用ユニット。
【請求項１０】
化粧板が更に設けられ、前記化粧板は少なくとも一つの第二孔を有し、
前記駆動部は、挿通部が挿入される少なくとも一つの第一孔を有し、前記挿通部を前記第一孔と前記第二孔に貫通させてから、少なくとも一つの固定ユニットに固定することで、抜け止めがされることを特徴とする請求項５に記載のファン固定用ユニット。
【請求項１１】
前記駆動部には、突当てユニットが設けられ、前記化粧板には、前記突当てユニットを貫通させるための少なくとも一つの通し孔が設けられていることを特徴とする請求項１０に記載のファン固定用ユニット。
【考案の詳細な説明】
【技術分野】
【０００１】
本考案は、ファン固定用ユニットに関し、特にファンを設置面に組み立てるためのファン固定用ユニットに関する。
【背景技術】
【０００２】
電子製品を散熱させるニーズに対応するため、多様な散熱器が提案されてきた。このような散熱器にはファンが採用されるが、図１に示すように、従来はこのファンを、ファンフレーム１ａの係合部品１１ａやストッパー１２ａにより電子製品に固定して、散熱を行うことが多かった。しかし、このような方法では、組立てや取り外しが不便で、組立後に於いても部品が抜落ちする可能性がある。また、不当な力が加わるとファンフレーム１ａ上の部品が断裂する恐れもある。
【０００３】
これに対して、特許文献１には、上記の問題を改善するものが開示されている。図２及び図３を用いて説明すると、ファンフレーム２ａには、ストッパー２１ｂの位置づけを行うためのフレキシブルバックル部２１ａが設けられている。フレキシブルバックル部２１ａは、ファンフレーム２ａに対して垂直なＵ形フレキシブルバックル部であり、力を受けた際に変形し、素材の弾性を利用して係止させる。しかしながら、この特許文献１に記載される技術では、不当な力が加わると、フレキシブルバックル部２１ａが断裂する可能性がある。また、長期間使用した際に、フレキシブルバックル部２１ａの弾力が失われ、組立後に抜けやすくなる。
【０００４】
さらには、設置面３ａには、ファン排吸気口３１ａのほかに、フレキシブルバックル部２１ａとストッパー２１ｂに合わせたスロット孔３２ａ，３３ａを設けなければならず、発熱を生じる廃熱の多い場所に合わせて取り付ける上での制限となっている。
【０００５】
また、上述のスロット孔３２ａ，３３ａ、フレキシブルバックル部２１ａやストッパー２１ｂは、いずれもファンの寸法に制限されるため、すべてのファンサイズに対応して取り付けることは困難である。
【先行技術文献】
【特許文献】
【０００６】
【特許文献１】中華民国特許番号Ｍ２９６５９３
【考案の概要】
【考案が解決しようとする課題】
【０００７】
本考案は、上述の事情に鑑みてなされたものであり、組立てまたは取り外しを便利に行えるファン固定用ユニットを提供することを目的とする。
【課題を解決するための手段】
【０００８】
上述の目的を達成するために、本考案は、以下の構成を具備する。
【０００９】
本考案のファン固定用ユニットは、少なくとも一つのファンを、複数個のスロット孔を有する設置面に固定するために用いられるファン固定用ユニットであって、本体と、制動ユニットと、弾性嵌合部と、を含む。
【００１０】
前記本体は、少なくとも一つのファンを固定するための固定部を有し、その一側には少なくとも一つのレールが形成され、前記レールとは別の側には少なくとも一つの第一係合部品が形成され、前記第一係合部品は、前記設置面に設けられる複数のスロット孔の一つに挿し込むことができる。
【００１１】
前記制動ユニットは、前記レールに摺動可能に設けられ、その制動ユニットにはさらに、少なくとも一つの第二係合部品が設けられ、前記第二係合部品は、前記設置面に設けられる別のスロット孔に挿し込むことができる。
【００１２】
前記弾性嵌合部は、前記本体と前記制動ユニットの間に設けられている。
【考案の効果】
【００１３】
本考案は、組立てまたは取り外しを便利に行えるファン固定用ユニットを提供することができるという効果を奏する。
【図面の簡単な説明】
【００１４】
【図１】従来技術のファンフレームを示す説明図である。
【図２】他の従来技術のファンフレームを示す説明図である。
【図３】他の従来技術のファンフレームの取付構造を示す説明図である。
【図４】本考案の第１実施例の分解図である。
【図５】本考案の第１実施例の組立図である。
【図６】本考案の第１実施例の他の状態の組立図である。
【図７】本考案の第１実施例の取り付け形態の説明図である。
【図８】本考案の第１実施例の取り付け状態の説明図である。
【図９Ａ】本考案の第１実施例の取り付け手順の説明図である。
【図９Ｂ】本考案の第１実施例の取り付け手順の説明図である。
【図１０Ａ】本考案の第１実施例の取付状態の説明図である。
【図１０Ｂ】本考案の第１実施例の取付状態の説明図である。
【図１１Ａ】本考案の第１実施例の取り外し手順の説明図である。
【図１１Ｂ】本考案の第１実施例の取り外し手順の説明図である。
【図１２】本考案の第２実施例の分解図である。
【図１３】本考案の第２実施例の組立図である。
【図１４】本考案の第２実施例の他の状態の組立図である。
【考案を実施するための形態】
【００１５】
本考案を、添付図面に示す実施形態に基づいて説明する。なお、以下の説明は例示にすぎず、本考案の範囲を制限するものではない。
【００１６】
図４に示すように、本考案の第１実施例は、本体１１と弾性嵌合部とを備えてなるファン固定用ユニット１である。本体１１は、第一側部１１Ａ〜第五側部１１Ｅから成り、立体形が形成される。なお、形状はこれに限らない。第一側部１１Ａには少なくとも一つの通気孔１１１が設けられる。図中では、複数個の通気孔１１１を設けている。第一側部１１Ａの両端は、第二側部１１Ｂと第三側部１１Ｃに隣接している。第一側部１１Ａと第二側部１１Ｂと第三側部１１Ｃが共に隣接する第四側部１１Ｄには、少なくとも一つ（本実施例では二つ）の挿通部１１２が設けられる。挿通部１１２には、対応する弾性部材１１３が設けられる。かかる弾性部材１１３を挿通部１１２に嵌めて、上記の弾性嵌合部が形成される。なお、この組合せには制限がなく、弾性部材１１３も図中に示されるバネに限らない。
【００１７】
第一側部１１Ａと第四側部１１Ｄの接合部分には、少なくとも一つ（本実施例では二つ）のレール１１４が設けられる。また、第一側部１１Ａ上のレール１１４と反対側の位置（つまり、第一側部１１Ａ上の第五側部１１Ｅ寄りの位置）には、レール１１４に対応する第一係合部品１１５が設けられている。本実施例における第一係合部品１１５は、突出部１１５１及びスナップリング１１５２をつないで構成されているが、これに限らず、突出部１１５１及びスナップリング１１５２は一体成形であってもよいし、別々の部品を係合したものであってもよい。また、第一係合部品１１５の形状は、図示するようなＬ形の他、Ｔ形または、その他の形状であってもよい。
【００１８】
本体１１には、少なくとも一つ（本実施例では一つ）のファン２を固定するための固定部１１６が設けられる。ファン２は、軸流式、横流式など様々なファンでよい。固定部１１６は、上述した第一側部１１Ａから第五側部１１Ｅに形成された収容溝１１６１、及び第二側部１１Ｂと第三側部１１Ｃにそれぞれ少なくとも一つ（図中では１つ）設けられた止め具１１６２（ラッチでもよい）からなる。収容溝１１６１の径はファン２より大きく、ファン２を入れることができる。なお、本体１１に収容溝１１６１を設けず、ファン２を本体１１に直接に貼り付け、ラッチ等によって固定部１１６に固定させてもよい。
【００１９】
第五側部１１Ｅには、ファン２の電線または制御ワイヤを通過させるのに用いられる一つの通線孔が設けられる（図示せず）。なお、通線孔の設置位置は第五側部１１Ｅに制限されず、第一側部１１Ａから第四側部１１Ｄまでのいずれかの一つに設けてもよいし、各側の接合部に設けてもよい。
【００２０】
制動ユニット１２は、駆動部１２１及び少なくとも一つ（本実施例では二つ）のレール挿入部１２２を備える。この駆動部１２１とレール挿入部１２２は、一体成形で設けられるが、別々の部品を係合させて設けてもよい。本実施例における二つのレール挿入部１２２は、駆動部１２１の両側に対向して設けられているが、レール１１４に対応した位置であればその位置は限定されない。また、図中の各レール挿入部１２２の、駆動部１２１に接合される側と反対側の端部側には、第二係合部品１２３が設けられている。第二係合部品１２３は複数設けられてもよい。また、第二係合部品１２３はレール挿入部１２２のいずれかの位置に設けられていればよく、設置位置は限定されない。本実施例における第二係合部品１２３は、突出部１２３１とスナップリング１２３２をつないで構成されているが、これに限らず、突出部１１５１とスナップリング１１５２が一体成形で設けられてもよいし、別々の部品を係合させて設けてもよい。また、第二係合部品１２３の形状は、図示するようなＬ形に限らず、Ｔ形またはその他の形状であってもよい。駆動部１２１には少なくとも一つ（本実施例では一つ）の突当てユニット１２４が設けられており、駆動部１２１には更に、少なくとも一つ（本実施例では二つ）の第一孔１２５が設けられている。
【００２１】
以下においては、図５と図６を参照しながら、ファン固定用ユニット１の組み立て方法を説明する。
【００２２】
ファン２を収容溝１１６１内に入れると、止め具１１６２がファン２の外フレーム（図示せず）を固定することにより、そのファン２が容易に収容溝１１６１から外へ抜けすことを防止する。なお、通気孔１１１は、ファン２の通気口に合わせるよう予めに設けておく。
【００２３】
制動ユニット１２のレール挿入部１２２はそれぞれ、本体１１のレール１１４に嵌入させる。その際、制動ユニット１２の第一孔１２５に、対応する挿通部１１２が挿入される。また、弾性部材１１３は、挿通部１１２に挿設させることで、本体１１の第四側部１１Ｄと制動ユニット１２の駆動部１２１との間に位置させる。制動ユニット１２を本体１１側に押動させると、これに応じて、挿通部１１２はより多くの部分が第一孔１２５に挿通されることになる。
【００２４】
そして、少なくとも一つ（本実施例では二つ）の固定ユニット１３を利用して、これを挿通部１１２に螺合させることで、制動ユニット１２を抜け止めする。固定ユニット１３はネジなどでもよく、挿通部１１２はネジ山付きの中空ソケットでもよい。なお、固定の方法は螺合に限られない。
【００２５】
ここで、制動ユニット１２の突当てユニット１２４を突き押す等により、制動ユニット１２を本体１１側へ押動させると、第一孔１２５が挿通部１１２に挿通されている事により、駆動部１２１は、挿通部１１２に沿って本体１１側へ移動する。これにより、レール挿入部１２２はレール１１４に嵌入されていく。この際、駆動部１２１と本体１１の第四側部１１Ｄとの間に設けられている弾性部材１１３は、制動ユニット１２が押動される事により、収縮状態となっていく。本体１１方向への押動を停止する（指を突当てユニット１２４から離す）と、弾性部材１１３の弾力により、駆動部１２１は本体１１から離れる方向へ移動する。この際、レール挿入部１２２も駆動部１２１に連動して、本体１１から離れる方向へ移動する。駆動部１２１は、固定ユニット１３に到達するとその動きが停止する。
【００２６】
以上に述べたとおり、ファン固定用ユニット１の操作はとても簡単になっている。
【００２７】
図７と図８に示すのは、本考案の第１実施例の応用である。一般的に、携帯型電子機器３（例えば、ノートパソコン等）の下方に置かれる積載装置４は、金属またはプラスチック等の材質で作られ、その積載装置４の設置面４１には通常、複数個のスロット孔４２が設けられている。ファン固定用ユニット１は、複数個のスロット孔４２によって積載装置４と結合される。
【００２８】
図に示されるように、スナップリング１１５２，１２３２の径は突出部１１５１，１２３１より大きく、且つ、積載装置４のスロット孔４２よりやや小さく設けられている。
【００２９】
図９Ａと図９Ｂに示すように、使用者はまずファン固定用ユニット１の第一係合部品１１５を適当な積載装置４のスロット孔４２の位置に合わせて、スナップリング１１５２をスロット孔４２に挿入させる。この際、第一係合部品１１５は、スロット孔４２の間で遊動する状態となる。
【００３０】
その後、指等で制動ユニット１２の突当てユニット１２４を押すなどにより、制動ユニット１２を本体１１側へ押動させる。この際、第一孔１２５が挿通部１１２に挿通されている事により、駆動部１２１は挿通部１１２に沿って本体１１側へ移動する。それにより、レール挿入部１２２はレール１１４に嵌入されていく。その際、駆動部１２１と本体１１の第四側部１１Ｄとの間に設けられる弾性部材１１３は、制動ユニット１２が押動されることにより、収縮状態となっていく。その後、第二係合部品１２３を適当な積載装置４のスロット孔４２の位置に合わせ、スナップリング１２３２をスロット孔４２に挿入させる。この際、第二係合部品１２３は、スロット孔４２の間で遊動する状態となっている。
【００３１】
ここで、本体１１方向への押動を停止する（指を突当てユニット１２４から離す）と、弾性部材１１３の弾力により、制動ユニット１２の駆動部１２１は本体１１から離れる方向へ移動し、第二係合部品１２３が、スロット孔４２の一側縁（制動ユニット１２側の縁）に到達して係合すると、制動ユニット１２の駆動部１２１の移動が停止する。その際、第一係合部品１１５も、スロット孔４２の一側縁（制動ユニット１２と反対側の縁）に係合される。なお、スナップリング１１５２，１２３２の径が積載装置４のスロット孔４２の径よりやや小さいが、その差が僅かであるため、第一及び第二係合部品１１５，１２３はスロット孔４２から抜け難くなっている。
【００３２】
主に、図１０Ａと図１０Ｂに示すように、積載装置４の設置面４１にあるファン固定用ユニット１の設置範囲は、携帯型電子機器３の底部の発熱源に対応するもので、ファン２を起動させると、その携帯型電子機器３の散熱が行われる。ファン２の風は、以下の二種類の流れである。
（１）ファン２が外部の冷たい空気を吸入するもので、この吸気は、通気孔１１１、スロット孔４２から積載装置４、携帯型電子機器３底部にある発熱源へと流れ、廃熱を出す。
（２）ファン２が携帯型電子機器３底部の発熱源から生じた廃熱を吸入するもので、この廃熱は排気ルートを通じて、スロット孔４２から通気孔１１１へと流れ、外部へ排出される。
【００３３】
次に、図１１Ａと図１１Ｂに基づいて、ファン固定用ユニット１を積載装置４から取り外す方法について説明する。
【００３４】
まず、制動ユニット１２の突当てユニット１２４を突き押す等により、制動ユニット１２を本体１１側へ押動させる。その際、第一孔１２５が挿通部１１２に挿通されている事により、駆動部１２１は、挿通部１１２に沿って本体１１側へ移動する。これにより、レール挿通部１２２はレール１１４に嵌入されていく。この際、駆動部１２１と本体１１の第四側部１１Ｄとの間に設けられる弾性部材１１３は、制動ユニット１２が押動される事により、収縮状態となっていく。第二係合部品１２３は、スロット孔４２で自由に動く状態となり、スロット孔４２から抜くことができる。第一係合部品１１５もスロット孔４２から抜けるようになるので、ファン固定用ユニット１が積載装置４から取り外される。
【００３５】
このファン固定用ユニット１は、積載装置４に応用されるほかに、一般の電子装置のハウシングまたは他の散熱孔付き設備の各部位（図示省略）にも応用される。
【００３６】
図１２に示されるのは、本考案の第２実施例であり、上述した第１実施例との相違点として、ファン固定用ユニット１に、化粧板１４が更に設けられている。化粧板１４には、少なくとも一つ（本実施例では一つ）の通し孔１４１と、少なくとも一つ（本実施例では二つ）の第二孔１４２がある。また、化粧板１４には、中空部１４３が形成されている。通し孔１４１の径は、制動ユニット１２の突当てユニット１２４より大きく、中空部１４３の径は、制動ユニット１２の駆動部１２１より大きく設けられている。
【００３７】
図１３と図１４に示すのは、本実施例でのファン固定用ユニット１の組立状態であり、前述したファン固定用ユニット１の場合との相異点は、以下の通りである。
【００３８】
化粧板１４の通し孔１４１は、突当てユニット１２４を貫通するために用いられ、それによって、制動ユニット１２の駆動部１２１を中空部１４３に入れ、化粧板１４を制動ユニット１２に嵌め合わせる。ここで、第一孔１２５と第二孔１４２とがそれぞれ対応し、本体１１の挿通部１１２が制動ユニット１２の第一孔１２５を通ってから、更に化粧板１４の第二孔１４２を通るように設けられている。
【００３９】
このとき、少なくとも一つ（本実施例では二つ）のネジ等からなる固定ユニット１３を利用し、これを、ネジ山付き中空ソケット等からなる挿通部１１２にネジ締め等で固定して抜け止めを行い、制動ユニット１２の駆動部１２１と化粧板１４の内側を合わせることで、ファン固定用ユニット１の組立は完了する。
【００４０】
本実施例においても、制動ユニット１２の突当てユニット１２４を突き押す等により、制動ユニット１２を本体１１側へ押動させる。その際、第一孔１２５が挿通部１１２に挿通されている事により、駆動部１２１は、挿通部１１２に沿って本体１１側へ移動する。これにより、レール挿入部１２２はレール１１４に嵌入されていく。この際、駆動部１２１と本体１１の第四側部１１Ｄとの間に設けられる弾性部材１１３は、制動ユニット１２が押動される事により、収縮状態となっていく。本体１１方向への押動を停止する（指を突当てユニット１２４から離す）と、弾性部材１１３の弾力により、駆動部１２１は本体１１から離れる方向へ移動する。この際、レール挿入部１２２も駆動部１２１に連動して、本体１１から離れる方向へ移動する。駆動部１２１は、固定ユニット１３に到達するとその動きが停止する。
【００４１】
第２実施例の応用形態は、第１実施例と同様なので、詳細な説明を省略する。
【００４２】
上述をまとめると、本考案は以下のメリットがある。
（１）ファン固定用ユニットの制動ユニットは平行に移動するため、力を入れる作業が簡単になり、各部品に不適当な力を加えて断裂等を生じることが起きにくい。
（２）ファン固定用ユニットが、これを固定した設置面から容易に抜けなくなる。
（３）長期間の使用により弾性嵌合部の弾力がなくなれば、その弾性嵌合部をなす弾性部材等だけを交換すればよい。
（４）アクセサリーの設置で、幾らかの部品設置が見えなくなり、全体的な見た目がよくなる。
（５）積載装置の設置面に固定したファン固定用ユニットを、簡単に取り外すことができる。
（６）ファン固定用ユニットを設ける設置面には、通気口を兼ねたスロット孔だけがあればよく、設置面の構造がシンプル化される。
（７）ファン固定用ユニットは、第一及び第二係合部品を用いて、設置面のスロット孔に組み付けられるため、各種サイズのファンに適用可能である。
（８）ファン固定用ユニットは、第一及び第二係合部品を用いて、設置面のスロット孔に組み付けられるため、散熱のニーズに応じて、使用者がいつでも、好きなように、設置面の適当な位置に移動させて組み付けることができ、よりよい散熱効果が得られる。
（９）ファン固定用ユニットは、積載装置に応用されるほかに、一般の電子装置のハウシングまたは他の散熱孔付き設備の各部位にも応用される。
【００４３】
本考案は、上述の実施例で開示されているが、これに制限されるわけではない。本考案のコンセプトの範囲で行われた変更や改造は、いずれも本考案の範囲に属する。
【符号の説明】
【００４４】
１        ファン固定用ユニット
１１      本体
１１Ａ    第一側部
１１Ｂ    第二側部
１１Ｃ    第三側部
１１Ｄ    第四側部
１１Ｅ    第五側部
１１１    通気孔
１１２    挿通部
１１３    弾性部材
１１４    レール
１１５    第一係合部品
１１５１  突出部
１１５２  スナップリング
１１６    固定部
１１６１  収容溝
１１６２  止め具
１２      制動ユニット
１２１    駆動部
１２２    レール挿入部
１２３    第二係合部品
１２３１  突出部
１２３２  スナップリング
１２４    突当てユニット
１２５    第一孔
１３      固定ユニット
１４      化粧板
１４１    通し孔
１４２    第二孔
１４３    中空部
２        ファン
３        携帯型電子機器
４        積載装置
４１      設置面
４２      スロット孔
【図１】
0003160671.tif 000003
【図２】
0003160671.tif 000004
【図３】
0003160671.tif 000005
【図４】
0003160671.tif 000006
【図５】
0003160671.tif 000007
【図６】
0003160671.tif 000008
【図７】
0003160671.tif 000009
【図８】
0003160671.tif 000010
【図９Ａ】
0003160671.tif 000011
【図９Ｂ】
0003160671.tif 000012
【図１０Ａ】
0003160671.tif 000013
【図１０Ｂ】
0003160671.tif 000014
【図１１Ａ】
0003160671.tif 000015
【図１１Ｂ】
0003160671.tif 000016
【図１２】
0003160671.tif 000017
【図１３】
0003160671.tif 000018
【図１４】
0003160671.tif 000019